(57)【要約】【解決手段】懸吊部材Ｐの長手方向に沿って支持される電線資材Ｑの側面を包持する平面略凹状の支持ガイド１Ｃを前記挟着部１の側面に形成する。該支持ガイド１Ｃに電線資材Ｑを固定せしめる緊締具３を前記挟着部１の挿通孔１Ｂに挿通する。該挟着部１の挟着片１Ａ相互間に径が異なった二種類の懸吊部材Ｐを選択自在に挟着するように設ける。【効果】異なった二種類の径の吊りボルトのいずれにも対応することが可能になる。一本の吊りボルトに対して直交する電線資材と長手方向に沿った電線資材とを同じ高さで同時に装着することが可能になる。多様化する配線工事の合理化を図ることができる。【選択図】　図１
2004116617.tif 000002
【特許請求の範囲】
【請求項１】
連続する一対の挟着片で懸吊部材を長手方向に沿って挟着する挟着部と、この挟着部の一方の挟着片に設けられ、電線資材を載置係止する受け座部と、これら挟着部と受け座部とに緊締具を挿通せしめる挿通孔を開穿し、該緊締具で電線資材を受け座部に固定する配線、配管用支持具において、懸吊部材の長手方向に沿って支持される電線資材の外側面を包持する平面略凹状の支持ガイドを前記挟着部の側面に形成し、該支持ガイドに電線資材を固定せしめる緊締具を前記挟着部の挿通孔に挿通すると共に、該挟着部の挟着片相互間に径が異なった二種類の懸吊部材を選択自在に挟着するように設けたことを特徴とする配線、配管用支持具。
【請求項２】
前記挟着部は、前記支持ガイドに沿った平面略凸状のヒンジ部と、該ヒンジ部の両端部から開閉自在に形成された一対の挟着片を有し、該挟着片の内側面に、径が異なる二種類の懸吊部材の対向する側面に対応して挟着する一対の係止凹部を設けた請求項１記載の配線、配管用支持具。
【請求項３】
前記挟着部の側面に挿通環を設け、前記支持ガイドに電線資材を固定せしめる緊締具を挿通環に挿通する請求項１記載の配線、配管用支持具。
【請求項４】
前記挟着片の内側面に径が異なった二種類の懸吊部材を選択自在に挟着する二種類の係止凹部を設けた請求項１記載の配線、配管用支持具。
【請求項５】
前記挟着片の開放端部に連結具を設け、径が異なった二種類の懸吊部材を選択自在に挟着せしめる二種類の係止凹部を設けた挟着片の開放端部を開閉自在に連結する請求項１又は４記載の配線、配管用支持具。
【発明の詳細な説明】
【０００１】
【発明の属する技術分野】
本発明は、ケーブルや可とう管などの電線資材を吊りボルト等に連結支持する際に用いる配線、配管用支持具に関し、特に径が異なった吊りボルトに対応することができる配線、配管用支持具に関する。
【０００２】
【従来の技術】
ケーブルや可とう管などを吊りボルト等に連結支持する際に用いる支持具として、当出願人は既に特許文献１及び２に係る登録実用新案権を所有している（実用新案登録第２０８４８７８号及び、実用新案登録第２１０５０９２号）。
【０００３】
特許文献１は、可とう管やケーブル等の電線資材を吊りボルトに支持固定する際に、電線資材の形状やサイズ、あるいはケーブルの支持本数などが限定されずに使用することが可能で、しかも、電線資材の支持部分の損傷を防止し、緊締具による電線資材の固定作業も簡略化して工事の合理化を図るために考案されたものである。
【０００４】
そのため、特許文献１では、吊りボルトを挟み付ける挟着部と、電線資材を載置係止する受け座部と、この受け座部に電線資材を固定する緊締具とを一体に形成した支持具が考案されている。
【０００５】
特許文献２は、吊りボルトに直交する可とう管やケーブル等の電線資材を、吊りボルトに強固に支持固定することができ、電線資材の形状やサイズ、あるいは本数などが限定されずに使用することが可能で、しかも、吊りボルトのネジ山による電線資材の支持部分の損傷を防止する目的で考案されている。
【０００６】
このため、特許文献２の構成は、吊りボルトを挟み付ける挟着部と、電線資材を載置係止する受け座部とを設け、これら挟着部と受け座部とに緊締具を挿通せしめる挿通孔を開穿し、この挿通孔に電線資材を固定する緊締具を挿通するようにしたものである。
【０００７】
【特許文献１】
実公平６‐５０７０６号公報
【特許文献２】
実公平７‐２１９８４号公報
【０００８】
【発明が解決しようとする課題】
【０００９】
吊りボルトを使用したこの種の工事において、従来、Ｗ３／８の吊りボルトが多く使用されていたが、近年の電気工事においてＷ１／２の吊りボルトの使用頻度が多くなっている。尤も、Ｗ３／８の吊りボルトの使用率が現在も主流になってはいるが、今後の傾向として、Ｗ１／２の吊りボルトにも対応できる支持具の提供が望まれている。
【００１０】
また、工事の多様化に伴って、支持具に求められる機能も多様化している。すなわち、電線資材を支持する支持具が、電線資材を吊りボルトに対して直交状態のみに支持するように限定されている場合には、工事の多様化に対応することが困難になっている。例えば、この種の電線資材は、吊りボルトに対して直交する配線に限られているものではなく、吊りボルトの長手方向に沿って支持される電線資材もある。従来では、これら直交する電線資材と長手方向に沿った電線資材とを支持する支持具をそれぞれ個別に選択して使用していた。
【００１１】
このため、一本の吊りボルトに対して、直交する電線資材と長手方向に沿った電線資材とを同時に装着する場合には、それぞれに対応した支持具を個々に装着する必要があった。この結果、支持具の装着作業に複数種類の支持具を保持する必要があり、個々の装着作業にそれぞれ別の手間を要するなど、装着作業の能率を妨げることになっていた。しかも、方向の異なる電線資材を吊りボルトの同じ高さで同時に支持しようとしても、種類の異なる支持具を別々に装着するので互いの支持具が妨げになって、同じ位置での装着作業は不可能となり、工事の多様化に対応することが困難になっている。
【００１２】
そこで、本発明は上述の課題を解消すべく、前記特許文献１及び特許文献２を更に改良したもので、異なった二種類の径の吊りボルトのいずれにも対応することが可能になり、しかも、一本の吊りボルトに対して直交する電線資材と長手方向に沿った電線資材とを同じ高さで同時に装着することが可能になり、多様化する配線工事に適合し、工事の合理化を図ることができる配線、配管用支持具の提供を目的とするものである。
【００１３】
【課題を解決するための手段】
上述の目的を達成すべく本発明の第１の手段は、連続する一対の挟着片１Ａで懸吊部材Ｐを長手方向に沿って挟着する挟着部１と、この挟着部１の一方の挟着片１Ａに設けられ、電線資材Ｑを載置係止する受け座部２と、これら挟着部１と受け座部２とに緊締具を挿通せしめる挿通孔１Ｂ，２Ａを開穿し、該緊締具３で電線資材Ｑを受け座部２に固定する配線、配管用支持具において、懸吊部材Ｐの長手方向に沿って支持される電線資材Ｑの側面を包持する平面略凹状の支持ガイド１Ｃを前記挟着部１の外側面に形成し、該支持ガイド１Ｃに電線資材Ｑを固定せしめる緊締具３を前記挟着部１の挿通孔１Ｂに挿通すると共に、該挟着部１の挟着片１Ａ相互間に径が異なった二種類の懸吊部材Ｐを選択自在に挟着するように設けたことにある。
【００１４】
第２の手段の挟着部１は、前記支持ガイド１Ｃに沿った平面略凸状のヒンジ部１Ｄと、該ヒンジ部１Ｄの両端部から開閉自在に形成された一対の挟着片１Ａを有し、該挟着片１Ａの内側面に、径が異なる二種類の懸吊部材Ｐの対向する側面に対応して挟着する一対の係止凹部１Ｅを設ける。
【００１５】
第３の手段は、前記挟着部１の側面に挿通環４を設け、前記支持ガイド１Ｃに電線資材Ｑを固定せしめる緊締具３を挿通環４に挿通する。
【００１６】
第４の手段は、前記挟着片１Ａの内側面に径が異なった二種類の懸吊部材Ｐを選択自在に挟着する二種類の係止凹部１Ｅａ，１Ｅｂを設ける。
【００１７】
第５の手段は、前記挟着片１Ａの開放端部に連結具１Ｆを設け、径が異なった二種類の懸吊部材Ｐを選択自在に挟着せしめる二種類の係止凹部１Ｅａ，１Ｅｂを設けた挟着片１Ａの開放端部を開閉自在に連結することを課題解消のための手段とする。
【００１８】
【発明の実施の形態】
以下、図面を参照して本発明の実施の形態を詳細に説明する。本発明の基本構成は、合成樹脂材にて形成した挟着部１、受け座部２、緊締具３からなる（図１参照）。
【００１９】
挟着部１は、連続する一対の挟着片１Ａで懸吊部材Ｐを長手方向に沿って挟着するもので、この挟着部１の外側面に支持ガイド１Ｃを形成している。この支持ガイド１Ｃは、平面略凹状を成し、懸吊部材Ｐの長手方向に沿って支持される電線資材Ｑの側面を包持するように設けている（図１参照）。
【００２０】
受け座部２は、この挟着部１の一方の挟着片１Ａに設けられ、電線資材Ｑを載置係止する。この受け座部２及び前記支持ガイド１Ｃに装着する電線資材Ｑとは、ケーブルや可とう管を総称するものである。
【００２１】
緊締具３は、電線資材Ｑを受け座部２に固定するもので、前記挟着部１と受け座部２とに開穿した挿通孔１Ｂ，２Ａに、この緊締具３を選択的に、又は同時に挿通せしめて使用する。この緊締具３は、図示例のナイロンバンドの他、針金その他の材質を使用することができる。また、挿通孔１Ｂ，２Ａの数は、夫々任意に設定しても良い。
【００２２】
挟着部１の挟着片１Ａ相互は、挟着部１の弾性力を利用して開閉自在に形成してあり、この挟着片１Ａ間に径が異なった二種類の懸吊部材Ｐを選択自在に挟着するように設けている（図２参照）。この懸吊部材Ｐとして、例えばＷ３／８とＷ１／２の吊りボルトを予定しているが、他の吊りボルトに適応すべく任意に変更することができる。
【００２３】
図２に示す挟着部１は、支持ガイド１Ｃに沿った平面略凸状のヒンジ部１Ｄと、該ヒンジ部１Ｄの両端部から開閉自在に形成された一対の挟着片１Ａとを有している。そして、挟着片１Ａの内側面に、二種類の懸吊部材Ｐの対向する側面を挟着する係止凹部１Ｅを設けてある。この係止凹部１Ｅは、同図（イ）に示す如く、小径の懸吊部材Ｐの周側面に嵌合するように形成している。そして、大径の懸吊部材Ｐを挟着する場合は、同図（ロ）に示す如く、略平行に広がった挟着片１Ａの内側で、懸吊部材Ｐの対向する外側面を、係止凹部１Ｅがそれぞれ二点支持で挟着するものである。このように係止凹部１Ｅを形成することで、径が異なった二種類の懸吊部材Ｐを、一対の係止凹部１Ｅにて選択的に挟着することができる。更に、図示例では、挟着片１Ａの開閉操作を容易にするために、一方の挟着片１Ａの先端に折返し片１Ａａを屈曲している。
【００２４】
図３に示す挟着部１の側面には挿通環４を設けてある。この挿通環４は、支持ガイド１Ｃに電線資材Ｑを固定する緊締具３を通して使用する。挟着部１の挿通孔１Ｂと、この挿通環４とに緊締具３を挿通することで、緊締具３を横方向に向けた状態で仮止めできるので、特に支持ガイド１Ｃに電線資材Ｑを固定する際に、各緊締具３を使い易くすることができる。
【００２５】
図４及び図５に示す挟着部１は、挟着片１Ａと支持ガイド１Ｃとを分離した状態で形成している。この挟着片１Ａは、平面湾曲した挟着片１Ａと、受け座部２に連続する平板形状の挟着片１Ａとからなる。平板形状の挟着片１Ａには前記係止凹部１Ｅを設け、一方、湾曲した挟着片１Ａの先端に折返し片１Ａａを屈曲している。そして、この折返し片１Ａａを拡開して懸吊部材Ｐを挟着するものである（図５参照）。このとき支持ガイド１Ｃは、平面湾曲した挟着片１Ａと分離された状態で、平板形状の挟着片１Ａから延長されている。
【００２６】
図６及び図７に示す挟着部１は、径が異なった二種類の懸吊部材Ｐを選択自在に挟着する二種類の係止凹部１Ｅａ，１Ｅｂを、挟着片１Ａの内側面に設けたものである。これらの係止凹部１Ｅａ，１Ｅｂは、それぞれ小径の懸吊部材Ｐの外側面に嵌合する係止凹部１Ｅａと、大径の懸吊部材Ｐの外側面に嵌合する係止凹部１Ｅｂとが別々に形成されている。そして、これらの係止凹部１Ｅａ，１Ｅｂを選択して、径が異なる懸吊部材Ｐを挟着固定する。図示例では、挟着片１Ａの開放端部をテーパー状に拡開して懸吊部材Ｐの挿入を容易ならしめてある。
【００２７】
図８及び図９に示す挟着部１は、挟着片１Ａの開放端部に連結具１Ｆを設けたものである。この連結具１Ｆは、連結突部１Ｆａと連結凹部１Ｆｂとを係合するもので、連結具１Ｆの内側面に径が異なった二種類の懸吊部材Ｐを選択自在に挟着せしめる係止凹部１Ｅａ，１Ｅｂを設けている。また、図示例では挟着片１Ａの開閉を容易にするため、挟着部１に薄肉状のヒンジ部１Ｄを設けている。
【００２８】
【発明の効果】
本発明は、上述の如く構成したことにより、当初の目的を達成する。
【００２９】
すなわち、受け座部２を有する挟着部１において、懸吊部材Ｐの長手方向に沿って支持される電線資材Ｑの外側面を包持する平面略凹状の支持ガイド１Ｃを前記挟着部１の側面に形成し、該支持ガイド１Ｃに電線資材Ｑを固定せしめる緊締具３を前記挟着部１の挿通孔１Ｂに挿通して固定することにより、一本の懸吊部材Ｐに対して直交する電線資材と長手方向に沿った電線資材とを、同じ高さで同時に装着することが可能になった。しかも、挟着部１の挟着片１Ａ相互間に、径が異なった二種類の懸吊部材Ｐを選択自在に挟着する構成なので、異なった二種類の径の吊りボルトのいずれにも対応することができる。この結果、多様化する配線工事に適合し、装着作業の合理化を図ることができる。
【００３０】
また、挟着部１は、前記支持ガイド１Ｃに沿った平面略凸状のヒンジ部１Ｄと、該ヒンジ部１Ｄの両端部から開閉自在に形成された一対の挟着片１Ａを有し、該挟着片１Ａの内側面に、二種類の懸吊部材Ｐの対向する側面を挟着する係止凹部１Ｅを設けることで、挟着片１Ａにおける開放端部の開閉する間隔を広くすることが可能になり、小径の懸吊部材Ｐは勿論、大径の懸吊部材Ｐであっても極めて容易に挟着することができる。
【００３１】
さらに、挟着部１の側面に挿通環４を設け、前記支持ガイド１Ｃに電線資材Ｑを固定せしめる緊締具３を挿通環４に挿通することによって、緊締具３を略水平に支持しておくことが可能になり、縦方向に装着する電線資材Ｑの緊締作業を簡略化することができる。
【００３２】
また、挟着片の内側面に径が異なった二種類の懸吊部材を選択自在に挟着する二種類の係止凹部１Ｅａ，１Ｅｂを設けることで、例えばＷ３／８とＷ１／２の吊りボルトなどのように、予め径が特定された二種類の懸吊部材を確実に挟着固定できるものになる。
【００３３】
そして、挟着片１Ａの開放端部に連結具１Ｆを設け、径が異なった二種類の懸吊部材Ｐを選択自在に挟着せしめる挟着片１Ａの開放端部を開閉自在に連結すると、懸吊部材Ｐに挟着部１を仮止めしてから緊締具３での固定作業ができるようになり、装着作業を容易にすることができる。
【００３４】
このように、本発明によると、異なった二種類の径の吊りボルトのいずれにも対応することが可能になり、しかも、一本の吊りボルトに対して直交する電線資材と長手方向に沿った電線資材とを同じ高さで同時に装着することが可能になり、多様化する配線工事に適合し、工事の合理化を図ることができるなどといった有益な種々の効果を奏するものである。
【図面の簡単な説明】
【図１】本発明の一実施例を示す分解斜視図。
【図２】図１に示す挟着部の使用状態を示す平面図で、（イ）は小径の懸吊部材を挟着した状態を示し、（ロ）は大径の懸吊部材を挟着した状態を示す。
【図３】本発明の他の実施例を示す使用状態の斜視図。
【図４】本発明の他の実施例を示す使用状態の斜視図。
【図５】図４に示す挟着部の使用状態を示す平面図で、（イ）は小径の懸吊部材を挟着した状態を示し、（ロ）は大径の懸吊部材を挟着した状態を示す。
【図６】本発明の他の実施例を示す使用状態の斜視図。
【図７】図６に示す挟着部の要部平面図。
【図８】本発明の他の実施例を示す使用状態の斜視図。
【図９】図８に示す実施例の平面図。
【符号の説明】
Ｐ　懸吊部材
Ｑ　電線資材
１　挟着部　　　　　１Ａ　挟着片
１Ａａ　折返し片
１Ｂ　挿通孔
１Ｃ　支持ガイド
１Ｄ　ヒンジ部
１Ｅ　係止凹部
１Ｆ　連結具
１Ｆａ　連結突部
１Ｆｂ連結凹部
２　受け座部　　　　２Ａ　挿通孔
３　緊締具
４　挿通環
【図１】
2004116617.tif 000003
【図２】
2004116617.tif 000004
【図３】
2004116617.tif 000005
【図４】
2004116617.tif 000006
【図５】
2004116617.tif 000007
【図６】
2004116617.tif 000008
【図７】
2004116617.tif 000009
【図８】
2004116617.tif 000010
【図９】
2004116617.tif 000011